(57)【要約】【課題】２以上の放送の録画を同時に実行する録画装置の操作性を向上させる。【解決手段】  ＤＶＤレコーダは、受信部、符号化部、記録／読取部、信号処理部、出力部、制御部を備える。受信部は、２以上の放送を同時に受信する。記録／読取部は、各々の放送を同時に録画する。制御部は、録画管理キーが押されると、録画管理処理を実行する。この処理では、現在のモードで録画している映像に重ねて、録画管理画面６１を表示する。カーソルキーで、選択した録画タスクについて、録画停止の指示を受け付ける。バックグラウンドで録画している録画タスクについては、現在のモード（放送、アクセスできる記録媒体）を維持したまま、録画の「停止」または「アクティブ」の指示を受け付ける。「アクティブ」が指示されると、アクティブなモードを、裏録画の情報６３に記載のモード（放送、アクセスできる記録媒体）に切り換える。  【選択図】図４
2009194590.tif 000002
【特許請求の範囲】
【請求項１】
放送を受信する複数の受信部と、
前記受信部が受信した各放送の録画を行う録画部と、
前記複数の受信部のうち選択された１つの受信部をアクティブなモードの受信部としてその操作を受け付けると共に、前記録画部に対する操作を受け付ける操作部と、
前記録画部の録画状態のＯＳＤ（On Screen Display）を出力するＯＳＤ手段と、を備える録画装置において、
前記ＯＳＤ手段は、前記アクティブなモードでない受信部で受信している放送を録画している裏録画のタスクも含め、現在、録画を実行している録画タスクの一覧を表示し、
前記操作手段は、前記アクティブなモードの受信部を当該アクティブなモードに保ったまま、前記一覧から前記裏録画のタスクの選択を受け付けると共に、前記一覧から当該選択がされた裏録画のタスクの停止を受け付け、
当該停止を受け付けると、前記録画部は、前記裏録画のタスクを停止する録画装置。
【請求項２】
前記録画部は、前記複数の受信部が受信した放送を、複数の記録媒体に記録する構成を備え、
前記操作手段は、前記複数の記録媒体のうち選択された１の記録媒体をアクティブなモードの記録媒体として、その操作を受け付け、
前記操作手段は、前記アクティブな状態の記録媒体を当該アクティブな状態に保ったまま、前記一覧から選択がされた前記裏録画のタスクの停止を受け付ける請求項１に記載の録画装置。
【請求項３】
前記操作手段が前記一覧から前記裏録画の録画タスクの選択を受け付けた場合には、
前記操作手段は、前記アクティブな受信部を、前記裏録画の録画タスクで記録していた受信部に切り換え、当該アクティブになった受信部について操作を受け付ける請求項１、２のいずれかに記載の録画装置。
【請求項４】
前記ＯＳＤ手段は、前記録画タスクの一覧には、各受信部のうち、その映像を録画していない受信部についても、停止している録画タスクとして表示し、
前記操作手段は、前記一覧のうち、停止している録画タスクが選択されると、チャンネルを含む録画設定を受け付けると共に、録画の開始を受け付け、
前記録画部は、前記操作手段が、録画の開始を受け付けると、当該録画設定に基づいて録画を開始する請求項１〜３のいずれかに記載の録画装置。
【請求項５】
前記複数の記録媒体は、ハードディスクおよび光ディスクである請求項２、３のいずれかに記載の録画装置。
【請求項６】
アクティブなモードの受信部で受信している放送を録画する表録画が実行されていない場合であって、新たな録画が前記裏録画の影響によりできない場合には、以下の動作を行う請求項１〜５に記載の録画装置。
（Ａ）前記操作手段が表録画の指示を受け付けると、前記ＯＳＤ手段は、前記録画タスクの一覧と共に、当該表録画が前記裏録画の影響によりできない旨を表示し、併せて、前記一覧から当該裏録画の録画タスクの選択がされている状態を表示し、
（Ｂ）前記操作手段は、録画タスクの選択がされなくても、直ちに、前記裏録画のタスクの停止を受け付ける。
【発明の詳細な説明】
【技術分野】
【０００１】
本発明は、放送を録画する録画装置に関する。
【背景技術】
【０００２】
従来、複数の受信部（チューナ）を備え、複数のテレビ放送を同時に録画する録画装置が実用化されている。例えば、デジタル放送、アナログ放送両方を録画する構成を備える装置がある。さらに、このような複数の受信部を備える録画装置で、録画するための記録媒体として、ＤＶＤ、ブルーレイのような光ディスクと、ハードディスクいずれかを選択して録画する録画装置が実用化されている。
【０００３】
このような録画装置は、種々の操作を受け付けるにあたり、操作対象を限定するため、複数の受信部、複数の記録媒体から、それぞれアクティブな対象の選択を受け付けるものがある。以下では、特定の対象をモード、その選択をモード選択と称し、現在選択されているモードをアクティブなモードと称することにする。このようなモード選択を受け付ける録画装置が録画を実行する録画タスクは、現在ユーザが操作可能なアクティブなモードになっているものと、そうでないもの２種類ある。これらを、以下では表録画、裏録画と称することにする。
【０００４】
表録画は、現在アクティブなモードで録画することをいう。具体的には、複数のチューナのうち選択された操作が可能な（録画中であれば、現在表示器に映像信号を出力している側のモード）であって、記録媒体のモードが現在操作可能なモードである。他方、裏録画は、アクティブなモードではなく、バックグラウンドで録画することをいう。
【０００５】
例えば、１つの録画タスクを開始した後、新たな録画を開始すれば、後で、録画しているタスクは、アクティブになるから表録画になり、初めに録画したタスクはバックグラウンドで実行するので裏録画になる。また、１つの録画のタスクを開始した後、録画予約により録画を開始するときは、はじめに録画したものがアクティブのまま、後で録画するものがバックグラウンドで開始されることになるから、裏録画になる。
【０００６】
このような複数の受信部、複数の記録媒体を有する録画装置でモード切換をすると、２以上の受信部、２以上の記録媒体で、４通り以上のモード切換が必要になる。所定のチューナ、所定の記録媒体への記録モードにするには、２回のモード切換が必要であった。
【０００７】
例えば、ハードディスクと、ＤＶＤでは、記録方式が異なり、メニューが異なる。現在ハードディスクを操作しているＨＤモードのときに、ＤＶＤに録画したり、ＤＶＤを編集したり、何らかのＤＶＤの操作をするには、ＤＶＤモードに切り換える必要がある。その場合には、メニューが切り換わるのに時間がかかるおそれがある。また、２つの受信部のうち、現在アクティブになっていない受信部の受信状態について調整するには、受信部のモードを切り換える必要があった。
【０００８】
さらに、複数の受信部を有する録画装置であっても、コストダウン等のため、映像信号を記録するための信号処理を行うエンコーダを１つしか搭載していないものがある。この装置は、一方の録画タスクについては、エンコーダでエンコードして録画するが、他方のデジタル放送の録画については、受信したトランスポートストリーム（ＴＳ）のパケットをそのまま記録している。放送局が送信するＴＳには、ＭＰＥＧシステム（ＭＰＥＧ２−ＴＳ）が採用されており、エンコードしなくても、ＭＰＥＧ２形式で、そのまま記録することができる。ただし、画質を調整する場合など、デジタル放送をＭＰＥＧ２−ＴＳ以外の録画モードで記録するときは、エンコードが必要になるから、２つの放送を同時に録画することができない。
【０００９】
また、特許文献１〜３には、裏録画の操作に関する構成が開示されている。
【特許文献１】特開２００２−３２５２０８公報
【特許文献２】特開２００４−１５９０８５公報
【特許文献３】特開２００４−３４３４１１公報
【発明の開示】
【発明が解決しようとする課題】
【００１０】
しかしながら、従来の録画装置では、すでに録画を開始している場合でも、このようなモード切換をユーザに要求するものであった。現在、録画しているのであれば、その録画タスクについては、受信部も、記録媒体も特定されている。それにもかかわらず、裏録画については、その録画中のタスクを停止したり、操作したりする場合には、ユーザが裏録画している受信部、記録媒体を確認して、モード切換することが要求された。
【００１１】
このように、裏録画の操作を受け付ける構成を備えたものがなかったのは、現在、アクティブのモード以外のタスクに対して操作を受け付けると、画面に表示されていない状態で、ユーザの意図しない動作をする虞があったからである。そして、リモコンのボタン数の制限から、仮に、１つの録画停止キーで裏録画を停止するとすれば、あながち、すべての録画のタスクが停止する虞があり、そのような設計はなされていなかった。
【００１２】
さらに、上述したエンコーダを１つしか搭載していない録画装置では、表録画の可否は、すでにバックグラウンドで実行している裏録画の状態に左右される。場合によっては、ユーザが裏録画を停止する必要があった。裏録画を停止するために、ユーザがそのモードを把握して、これを停止した後、再度、元に戻さなければならない。その間に、録画のチャンスを逃す虞があった。そもそも、ユーザが現在のモードを選択したのは、そのモードで録画しようという関心があるからである。そのようなユーザに対し、元のモードを把握してそのモードに戻すように要求するのは、ユーザの意図に反し、ユーザをいらいらさせる虞があった。
【００１３】
そこで、本発明は、複数の録画タスクを行う構成を備えた録画装置について操作性を向上させることを目的とする。
【課題を解決するための手段】
【００１４】
上記課題を解決するために、以下の構成を備えることができる。
【００１５】
（１）  放送を受信する複数の受信部と、
前記受信部が受信した各放送の録画を行う録画部と、
前記複数の受信部のうち選択された１つの受信部をアクティブなモードの受信部としてその操作を受け付けると共に、前記録画部に対する操作を受け付ける操作部と、
前記録画部の録画状態のＯＳＤ（On Screen Display）を出力するＯＳＤ手段と、を備える録画装置において、
前記ＯＳＤ手段は、前記アクティブなモードでない受信部で受信している放送を録画している裏録画のタスクも含め、現在、録画を実行している録画タスクの一覧を表示し、
前記操作手段は、前記アクティブなモードの受信部を当該アクティブなモードに保ったまま、前記一覧から前記裏録画のタスクの選択を受け付けると共に、前記一覧から当該選択がされた裏録画のタスクの停止を受け付け、
当該停止を受け付けると、前記録画部は、前記裏録画のタスクを停止する。
【００１６】
この構成では、現在アクティブな状態でない（バックグラウンドで録画している）裏録画のタスクの一覧を表示する。そして、前記アクティブな状態の受信部をアクティブな状態に保ったまま、一覧から選択した裏録画のタスクの停止を受け付ける。したがって、裏録画のタスクで受信している受信部のモードをユーザが把握して、アクティブな状態にする必要もなく、そもそもモードを切り換える必要もなく、直ちに裏録画の状態のままで停止できる。このように、録画タスクに着目して、直接その操作を受け付けるので、録画タスクのモードをユーザが把握してそのモードに合わせ込む必要はない。
【００１７】
また、この構成によれば、従来技術で前述したエンコーダが１つである場合のように、これから録画する録画タスクが、裏録画のタスクから影響を受ける場合でも、モード切換を伴うことなく、この裏録画のタスクを終了させることが出来る。したがって、アクティブな状態の受信部を、裏録画で受信している受信部に切り換えたり、元に戻したりすることなく、現在アクティブな状態の受信部から受信する放送について、直ちに録画する操作を受け付けることが出来る。
【００１８】
このように、従来のモードごとの操作でなく、録画タスクに着目して、そのタスクごとに操作を受け付けるので、ユーザが操作を意図する対象と合致し、操作性が向上する。
【００１９】
なお、「アクティブなモードの受信部」の定義について補足する。録画中において、チャンネルの切換が禁止される録画装置であっても、その録画を停止すれば、他の受信部でなくアクティブな受信部に対して操作を受け付けるのであるから、「アクティブ」に該当するものとする。
【００２０】
（２）  前記録画部は、前記複数の受信部が受信した放送を、複数の記録媒体に記録する構成を備え、
前記操作手段は、前記複数の記録媒体のうち選択された１の記録媒体をアクティブなモードの記録媒体として、その操作を受け付け、
前記操作手段は、前記アクティブな状態の記録媒体を当該アクティブな状態に保ったまま、前記一覧から選択がされた前記裏録画のタスクの停止を受け付ける。
【００２１】
この構成では、アクティブな状態の記録媒体について操作を受け付ける。このような記録媒体までユーザが切り換えるとなると、そのモードの把握および切換がわずらわしい虞があるが、この構成では、録画タスクに着目して、そのタスクごとに操作を受け付けるので、ユーザが操作を意図する対象と合致し、操作性が向上する。
【００２２】
（３）  前記操作手段が前記一覧から前記裏録画の録画タスクの選択を受け付けた場合には、
前記操作手段は、前記アクティブな受信部を、前記裏録画の録画タスクで記録していた受信部に切り換え、当該アクティブになった受信部について操作を受け付ける。
【００２３】
裏録画で設定されたモードについて、ユーザが注目するのであれば、そのモードに切り換えて操作する方が種々の操作が可能になり、操作しやすい。そこで、この構成では、操作手段は、裏録画で設定されたモードへの切換を受け付ける。
【００２４】
（４）  前記ＯＳＤ手段は、前記録画タスクの一覧には、各受信部のうち、その映像を録画していない受信部についても、停止している録画タスクとして表示し、
前記操作手段は、前記一覧のうち、停止している録画タスクが選択されると、チャンネルを含む録画設定を受け付けると共に、録画の開始を受け付け、
前記録画部は、前記操作手段が、録画の開始を受け付けると、当該録画設定に基づいて録画を開始する。
【００２５】
この構成では、録画タスクを、受信部が受信している映像ソースが録画されているかどうか（すなわち、録画タスクの動作中、休止中）にかかわらず、録画タスクの一覧に表示し、休止中のものについては、その一覧で録画設定を受け付けると共に、録画の指示を受け付ける。これにより、モード切換を伴わずに、録画の開始を受け付けることができ、録画時のモード選択のわずらわしさを軽減できる。
【００２６】
（５）  前記複数の記録媒体は、ハードディスクおよび光ディスクであるとしてもよい。
【００２７】
（６）  アクティブなモードの受信部で受信している放送を録画する表録画が実行されていない場合であって、新たな録画が前記裏録画の影響によりできない場合には、以下の動作を行う。
（Ａ）前記操作手段が表録画の指示を受け付けると、前記ＯＳＤ手段は、前記録画タスクの一覧と共に、当該表録画が前記裏録画の影響によりできない旨を表示し、併せて、前記一覧から当該裏録画の録画タスクの選択がされている状態を表示し、
（Ｂ）前記操作手段は、録画タスクの選択がされなくても、直ちに、前記裏録画のタスクの停止を受け付ける。
【００２８】
この構成では、モードの切換を伴うことなく裏録画を停止させることができ、現在のモードのまま録画することができる。
【発明の効果】
【００２９】
本発明によれば、２以上の録画タスクを実行する録画装置について、モード切換を伴わずに、裏録画を停止することができ、操作性を向上させることができる。
【発明を実施するための最良の形態】
【００３０】
図１は、この発明の実施形態であるＤＶＤレコーダ１の主要部の構成を示すブロック図である。この実施形態のＤＶＤレコーダ１は、ＤＶＤ等の記録媒体への映像信号の記録、および記録媒体に記録されている映像ファイルの再生を行う。
【００３１】
ＤＶＤレコーダ１は、受信部２、符号化部３、記録／読取部４、信号処理部５、出力部６、操作部８、制御部９を備える。
【００３２】
受信部２は、各々１つの放送を受信する受信部を複数備える。アンテナ１００を介して、放送信号を受信して、映像信号、音声信号、文字情報を抽出する。デジタル放送受信部は、デジタル放送選局部、地上デジタルモジュール、デコーダを備える。また、アナログ放送受信部は、アナログ放送選局部、映像受信部、色信号再生部を備える。また、受信部２内部を制御する受信制御部を備える。
【００３３】
デジタル放送選局部は、チューナパック、地上デジタルモジュール、ＯＦＤＭ復調回路、誤り訂正回路を備え、所定の物理チャンネルの周波数帯域を増幅し、ＴＳ（Transport Stream）を出力する。チューナパックは、ＩＦフィルタ、ＩＦアンプ等を備えている。受信制御部は、初期設定処理９５により、チャンネルテーブルを内部のフラッシュメモリ（不図示）に記憶している。
【００３４】
ＩＦフィルタ（intermediatefrequency）は受信制御部から指示された所定の物理チャンネルの信号を通す。ＩＦアンプは、この信号を増幅する。これにより、デジタル放送選局部は、受信制御部により指定されたチャンネルの放送信号を抽出する。また、ＯＦＤＭ復調回路は、入力された放送信号をデジタルデータであるＴＳ（トランスポートストリーム）へ、ＯＦＤＭ復調（Orthogonal Frequency Division Multiplexing）し、誤り訂正回路に出力する。誤り訂正回路はＴＳの誤り情報を訂正して、地上デジタルモジュールに出力する。
【００３５】
地上デジタルモジュールは、マルチプレクサ、バッファメモリを備えている。ＴＳには複数の仮想チャンネルの番組が多重化されて送信されている。デマルチプレクサは、これらの仮想チャンネルのうちの１チャンネルのパケットを抽出して、抽出したパケットに格納されているデータをバッファメモリに記憶させる。これらのパケットは、ＭＰＥＧ形式のデジタル映像信号で構成されている。デコーダは、モジュール内部のバッファメモリから映像信号のパケットを取り出して、映像信号をデコードする。
【００３６】
アナログ放送選局部は、中間周波数を抽出するフィルタと、この中間周波数帯域を増幅する中間周波数増幅部を備え、所定の物理チャンネルの帯域の放送信号を増幅する。映像受信部は、映像帯域の周波数を増幅し、映像信号を抽出する。色信号再生部は、カラー映像信号から色信号を取り出し、ＲＧＢの３原色信号を生成する。同期検出回路は、カラー映像信号から水平同期信号、垂直同期信号を取り出す。
【００３７】
符号化部３は、受信部２で入力した映像信号および音声信号をエンコードする。また、Ａ/Ｄ変換器を備え、入力した映像信号がアナログ形式であれば、エンコードする前に予めＡ/Ｄ変換を行う。符号化部３は、このエンコードしたデータを記録／読取部４に出力する。
【００３８】
記録／読取部４は、光ディスクドライブ４１、ハードディスク４２（ＨＤ４２と略す）と、ハードディスクドライブ４３（ＨＤＤ４３と略す）を備える。ドライブ４１は、記録媒体の１種であるＤＶＤ１０にレーザ光を照射し、その反射光を検出するピックアップヘッド（不図示）や、ＤＶＤ１０に照射しているレーザ光の照射位置を制御するフォーカスサーボ制御やトラッキングサーボ制御等を行うサーボ制御部（不図示）等を有している。これらの構成により、ドライブ４１は、ＤＶＤ１０の読出・記録をする。ＨＤ４２は、記録媒体の１種である。ＨＤＤ４３は、データをＨＤ４２に記録し、記録したデータを読み出す。このような構成により、記録／読取部４は、符号化部３でエンコードされた映像信号、音声信号をＤＶＤ１０またはＨＤ４２に記録する。
【００３９】
以下では、映像信号、音声信号の記録媒体への記録を録画という。
【００４０】
信号処理部５は、８／１６復調部、ＭＰＥＧデコーダ、ＯＳＤ合成部５１を備えている。８／１６復調部は、記録／読取部４が読み取ったＲＦ信号について８／１６復調等を行い、誤り訂正を行って映像データと音声データを抽出する。ＭＰＥＧデコーダは、映像データと音声データを伸張する。
【００４１】
ＯＳＤ合成部５１は、制御部９が発行するコマンドに基づいて文字、キャラクタ等のＯＳＤ（On-Screen Display）を合成する。ＯＳＤ合成部５１は、内部に種々の画像データを記憶している。例えば、種々の文字列を表示するための文字、図形、録画管理処理９３、初期設定処理９５で表示するユーザインターフェース等の枠画像を記憶している。これらの枠画像と、文字、図形を合成してＯＳＤを出力する。ＭＰＥＧデコーダから映像信号が出力されている場合には、ＯＳＤ合成部５１は、この映像信号とＯＳＤを合成し、出力部６に出力する。場合によっては、ＯＳＤ合成部５１は、映像信号の出力を禁止して、ＯＳＤのみを出力してもよい。
【００４２】
出力部６は、Ｄ/Ａ変換器等を備え、信号処理部５で処理された映像信号、音声信号をＤ/Ａ変換し、表示器１１、スピーカ１２に出力する。
【００４３】
操作部８は、装置本体に対する操作を指示する入力を受け付ける。操作部８は、操作キーや、リモコン受信部を有している。操作キーは、装置本体に設けられている。リモコン受信部は、リモコン８０から送信されてきた装置本体に対する制御コードを受信する。操作部８は、ユーザにより操作された操作キーに応じた入力を受け付け、これらのキーに応じたコードを制御部９に伝達する。また、リモコン受信部で受信した制御コードを制御部９に伝達する。リモコン８０は、操作子として、例えば、録画管理キー８７、カーソルキー８２、数字キー８３、録画予約キー８４、決定キー８５、解除キー８６、録画キー８７を備える。レコーダ１は、数字キー８３によりチャンネル、数字入力を受け付け、カーソルキー８２により各種設定の選択を受け付ける。決定キー８５が押されると、制御部９は、選択された設定に応じた処理を行う。また、レコーダ１は、録画予約キー、録画キー８７により、録画予約、録画の指示を受け付ける。レコーダ１は、録画管理キー８７により、すでに録画を実行している録画タスクの管理の指示を受け付ける。
【００４４】
制御部９は、マイコンまたはこれを含むシステムＩＣで構成する。制御部９は、ＲＯＭ（フラッシュメモリでも良い。）、ＣＰＵ、ＲＡＭを備える。制御部９は、操作部８で受け付けた入力に基づいて、２〜８の各部の動作を制御する。また、制御部９のＲＯＭは、録画予約処理９１、録画処理９２、録画管理処理９３、初期設定処理９５を実行するためのサブルーチンを記憶している。また、フラッシュメモリ９９が制御部９の外部に接続されており、これには、ＤＶＤレコーダ１の状態や、各種初期設定の情報が記録されている。
【００４５】
録画予約処理９１では、制御部９は、録画予約の項目の選択を録画前に予め受け付ける。制御部９は、録画予約キー８４を受け付けた場合に、処理９１を実行する。処理９１では、ユーザから録画予定時間Ｔ［Ｈ］、録画予定時刻、曜日または日付、放送のチャンネル番号録画する記録媒体の指定を受け付ける。また、画質を指定するための録画モードの選択を受け付けてもよい。
【００４６】
録画処理９２では、制御部９は、録画の開始、停止等の制御を行う。処理９２は、例えば、操作部８がリモコン８０から録画キーの操作を受けた場合に実行される。録画処理９２では、また、録画予約処理９１で設定した録画予約のデータに基づいて、放送の録画を開始する。この実施形態の録画装置は、デジタル、アナログ形式の放送をそれぞれ受信する２つの受信部から、同時に録画処理を行う。ＤＶＤ１０、ＨＤ４２はランダムアクセス可能であるから、複数の放送の録画を同時に行うようにしてもよい。ただし、ＤＶＤ１０に録画する場合には、記録フォーマットや記録速度の制約上、１つの放送しか録画できない場合もありうる。
【００４７】
録画処理９２で録画処理を行っている間の録画のタスクを、以下では、表録画、裏録画と称することにする。表録画は、現在アクティブなモードで録画することをいう。現在アクティブなモードとは、受信部２内の複数の受信部のうち、録画等の操作が可能なモード（録画中であれば、現在表示器に映像信号を出力している側のモード）であって、かつ、記録媒体のモードが現在その記録媒体に対して操作可能なモードである。他方、裏録画は、アクティブでないがバックグラウンドで録画することをいう。
【００４８】
録画管理処理９３では、ＯＳＤ合成部５１が録画管理画面を出力して、各録画タスクの一覧を表示し、操作部８がその操作を受け付ける。
【００４９】
初期設定処理９５は、ＤＶＤレコーダ１の各種設定を受け付ける処理である。この処理には、録画予約設定が含まれる。
【００５０】
ＤＶＤレコーダ１には、表示器１０１とスピーカ１０２が接続されている。表示器１０１は、出力部６から出力された映像信号に基づいて映像を表示する。例えば、液晶モニタ、プラズマモニタ、ＥＬモニタ、ブラウン管、プロジェクタなどで構成する。スピーカ１０２は、出力部６から出力された音声信号を増幅して音声を放出する。
【００５１】
次に、図２〜図５を用いて、録画管理処理９３について説明する。図２、図３は、例１を示し、図４、図５は、例１の応用例１，２を示している。なお、図２（Ｂ）、図３〜図５では、録画管理画面６１の背後に映している映像を省略して画面の大きさを小さく表示している。図２（Ｂ）、図３〜図５も、図２（Ａ）と同様に、受信部２のうちアクティブな状態の受信部の映像を表示する。
【００５２】
図２（Ａ）は、２つの録画タスクを実行中に、録画管理キー８７が押された場合に表示する画面６０を示している。表示器１０１には、現在アクティブな状態の受信部が受信している放送（デジタル放送、アナログ放送のいずれか）の映像を表示する。また、その映像に重ねて、録画管理画面６１を表示する。
【００５３】
管理画面６１は、表録画の情報６２、裏録画の情報６３を含む。情報６２、６３の欄には、それぞれ、放送のデジタル方式、アナログ方式の種別、記録先（ＨＤ４２、ＤＶＤ１０）、放送形式の名称（地上デジタル、地上アナログ、衛星放送等）、チャンネル番号（１０１ｃｈ、８ｃｈ等）、残りの録画時間（１：００：００）を表示する。例えば、表録画の情報６２によれば、レコーダ１は、現在、デジタル放送の地上Ｄ（デジタル）の１０１ｃｈを受信して、放送の映像をＨＤ４２に記録している。
【００５４】
表録画の情報６２は、現在アクティブなモードの録画状態を示す。裏録画の情報６３は、バックグラウンドで録画している裏録画の録画状態を示す。ここで、アクティブなモードとは、前述したとおり現在操作可能なモードである。この例では、アクティブなモードは、デジタル放送を受信するモードであって、記録媒体がＨＤ４２であるモードである。ただし、録画中は、受信部が録画に関する映像を受信しているから、録画を停止しない限り、制御部９は、そのチャンネルの変更等の操作を受け付けない。一方、ＨＤ４２について、各種の操作を受け付け、内部のファイルの再生を受け付ける。
【００５５】
図２では（図３〜図５も同様である。）、表録画の情報６２を明るく、裏録画の情報６３をハッチングして示している。これにより、情報６２、６３を区別してユーザに示す。必ずしもハッチング等の区別をする必要はないが、一覧のうち、いずれがアクティブなモードであるかを知らせるためには、網掛け等のなんらかの方法で区別するのが望ましい。
【００５６】
録画タスクの選択は、カーソルキー８２により受け付ける。カーソルキー８２が押されると、ハイライト６４が上下に移動する。ここで、録画停止キー８６が押されると、選択された録画タスクの録画が停止する。
【００５７】
図２（Ｂ）は、裏録画の情報６３が選択され、録画停止キー８６が押された状態を示している。録画停止キー８６が押されると、記録／読取部４は、裏録画のタスクを終了する。このとき、現在アクティブな放送のモードは、図２（Ａ）と変わらず、地上デジタルである。したがって、このデジタル放送を受信し、表示器１０１に出力し続ける。また、記録媒体のモードはＨＤ４２のままである。したがって、録画管理画面６１を消去した後、図示しないファイルメニューを表示させると、ＨＤＤの内部のファイルを参照し、そのファイルの選択、再生を受け付ける。制御部９は、記録媒体がＤＶＤのモードに切り換わった場合には、ＤＶＤの参照を受け付ける。
【００５８】
図３（Ａ）は、情報６２が示すように、現在、表録画がされておらず、デジタル放送受信部がアクティブで操作可能な状態にあり、表示器１０１には、１０１ｃｈの放送を受信していることを示している。また、図３（Ａ）のハイライト６４は、カーソルキー８２で、裏録画の情報６３が選択された状態を示している。
【００５９】
図３（Ｂ）は、図３（Ａ）の状態から、録画停止キーが押された場合の画面を示す。これにより、録画停止キー８６が押されると、記録／読取部４は、裏録画のタスクを終了する。
【００６０】
このとき、現在アクティブな放送のモードは、図２（Ａ）と変わらず、地上デジタルである。したがって、解除キー８８が押されると、録画管理画面６１を消去し、アクティブなデジタル放送、ＨＤ４２についての操作を受け付ける。例えばチャンネル切換やＨＤ４２内のファイルの再生を受け付ける。また、表録画のモードの録画を録画キー８１により受け付ける。
【００６１】
図４は、図２、図３の実施例の応用例１を示している。この例は、図２（Ａ）の状態から、裏録画が選択され、カーソルキー８２の右キーが押された状態を示している。ＯＳＤ合成部５１は、操作選択欄６７を表示し、カーソルキー８２により操作の選択を受け付ける。カーソルキー８２が押されると、ハイライト６８が移動し、「アクティブ」の選択を受け付ける。決定キー８５が押されると、制御部９は、その操作に対応する処理を行う。「情報」が選択されると、選択された録画（図４の例では、裏録画に相当する。）の情報の詳細を表示する。「アクティブ」が選択されると、裏録画の情報６３に示す各種の状態をアクティブにする。即ち、図２（Ｂ）の裏録画の情報６３に示すとおり、受信部をアナログ放送受信部、チャンネルを８ＣＨに切り換え、記録媒体がＤＶＤ１０である状態をアクティブにする。
【００６２】
図５は、図４の実施例の応用例を示している。この例は、現在のアクティブな状態を図４の情報６２２に示す状態に保ちながら、裏録画の状態の操作を受け付ける例を示している。なお、情報６２２は、表録画の情報６２の１例に相当する。
【００６３】
図５（Ａ）は、表録画が実行中の状態にあるが、裏録画については、録画されていない状態を示している。この状態で、裏録画の情報６３２の各項目の選択を、カーソルキー８２により受け付ける。カーソルキー８２の左右キーにより、ハイライト６４０が左右に動き、上下キーで設定を選択する。この設定では、例えば、（アナログ／デジタル）、（ＨＤＤ/ＤＶＤ）、（地上デジタル/地上アナログ／衛星放送）、（ＣＨ）、録画時間の選択を受け付ける。これらが設定された状態で、録画キー８１が押されると、現在、アクティブなモードは、アクティブのまま、ここで設定された裏録画の情報６３で録画を開始する。
【００６４】
図５（Ｂ）は、このような設定項目の右端（この例では、録画時間に相当する。）から、さらにカーソルキー８２の右キーが押されると、図４で説明した画面６７を表示する。情報が選択され、決定キー８５が押されると、番組の情報を示す。「アクティブ」が選択された場合、図５（Ｃ）のように、図５（Ｂ）で選択された裏録画の情報６３をアクティブにすると共に、録画管理画面６１を録画管理画面６１５のようにする。
【００６５】
画面６１５は、図２の録画管理画面６１に相当する。「アクティブ」が選択された場合、表録画の情報６２２に表示されているアクティブなモードは、アクティブでなくなり、裏録画の情報６３３で設定されたモードがアクティブになる。
【００６６】
なお、図２〜図５においては、録画フォーマット、例えば、ＭＰＥＧ２−ＴＳ，Ｈ２６４，ＭＰ４などの設定を表録画の情報６２、裏録画の情報６３それぞれに追加しても良い。そして、図５（Ａ）の項目の設定では、その設定を受け付けても良い。
【００６７】
次に図６のフロー図を用いて、装置１の録画管理処理９３の例について説明する。このフローは、図５の例に対応する。
ＳＴ１：録画停止キー８６が押されるまで（ＳＴ１のＮＯ）待機し、録画管理キー８７が押されると、ＳＴ２に移動する。
ＳＴ２：ＯＳＤ合成部５１は、録画管理画面６１を出力する。
ＳＴ３：操作部８は、ユーザから、録画タスク（表録画、裏録画）の選択を受け付ける。
【００６８】
ＳＴ４〜ＳＴ１０：制御部９は、定期的にこれらのステップを繰り返し、キー入力を判断する。キー入力がされない限り（ＳＴ４、ＳＴ６、ＳＴ８、ＳＴ１０のそれぞれのＮＯ）、これらのループを繰り返す。
ＳＴ４：制御部９は、録画停止キー８６が押されたか判断する。録画停止キー８６が押されると（ＳＴ４のＹＥＳ）、ＳＴ５に移動する。
ＳＴ５：記録／読取部４は、選択された録画タスク録画を停止する。
【００６９】
ＳＴ６：制御部９は、裏録画のモード設定をアクティブにする指示があるかどうか判断する。具体的には、図４の操作選択欄６７内の「アクティブ」が選択され、決定キー８５が押されたかどうか判断する。この判断が肯定なら、ＳＴ７へ移動する。なお、欄６７の「アクティブ」の指示は、裏録画の情報６３が選択されている状態になっている場合にのみ有効とする。
【００７０】
ＳＴ７：アクティブなモードを、裏録画の情報（図５の６３３）に表示されているモードへ切り換える。図５を例にとれば、アナログ放送を表示器１０１に表示すると共に、記録媒体としてＤＶＤ１０の操作を受け付けるモードへ切り換える。
【００７１】
ＳＴ８：選択されている録画タスク（ハイライト６４が重なっている側）が停止中であり、かつ、カーソルキー８２の左キーが押されたかどうか判断する。この判断が肯定ならば（ＳＴ８のＹＥＳ）、ＳＴ９に移動する。
【００７２】
ＳＴ９：情報６２または情報６３のうち選択されている側について、各録画設定の変更を受け付ける。このとき、各項目の列幅に合わせて、ハイライトを小さく表示する（図５のハイライト６４０参照）。また、これらの右端の設定の項目で、右キーが押されると、操作選択欄６７を表示する。また、録画停止（ＳＴ４、ＳＴ５）、アクティブ（ＳＴ６、ＳＴ７）の指示を受け付ける。
【００７３】
ＳＴ１０：解除キー８８が押されたかどうか判断する。これが押された場合には、このフローを終了する。
【００７４】
なお、図２、図３で示した例１は、図６のフローのうち、ＳＴ６〜ＳＴ９がないものに相当する。図４で示した応用例１は、図６のフローのうち、ＳＴ８、ＳＴ９がないものに相当する。
【００７５】
次に、図７、図８を用いて、以上で示した実施形態の応用にかかる録画装置について説明する。この録画装置では、コストダウン等の理由から、エンコーダを１つのみ搭載し、同時にエンコーダ処理を必要とする録画タスクを同時に実行できない制限がある。それ以外は以上の実施形態の構成と同じであり、録画処理９２、録画管理処理９３の処理のみが異なる。以下、同じ作用をするものについては、同じ符号を付して、以上の説明を準用する。
【００７６】
図７は、本実施形態の録画処理、録画管理処理を表わしている。表録画がされていない状態では、アクティブなモードで、新たな録画が可能である。しかし、現設定で新たな録画をするにはエンコーダが必要な場合には、裏録画を停止させなければ新たな録画ができない。そこで、録画キー８１が押されると、現設定を調査し、エンコーダが必要か判断する。エンコーダが必要な場合には、そのガイドを表示するため、録画管理処理を行う。図７（Ａ）は、これを表わしている。図７の例では、録画管理画面（６１に対応する。）を示している。この例では、デジタル放送がＭＰＥＧ２−ＴＳ以外の形式で裏録画を実行中であり、新たな録画をするには、録画を停止する必要がある。そこで、録画管理画面を表示すると共に、図７のようなポップアップを表示して、ユーザに注意をうながす。
【００７７】
また、ハイライト６４を裏録画に合わせた状態で出力し、この状態で、録画停止キー８６の操作を受け付ける。これにより、ユーザは、モード切換も、録画タスクの選択をする必要もなく、直ちに裏録画の停止を指示できる。録画の停止が指示されると、録画が停止し、直ちに、ハイライト６４が表録画に移動する（図７（Ｂ））。この状態で録画キー８１を押すと、記録／読取部４は、直ちにアクティブなモードで、録画を開始する。なお、図７（Ｃ）のように、録画するモード（デジタル受信部/アナログ受信部、ＨＤＤ/ＤＶＤ）の選択を受け付けても良いし、録画フォーマットの選択を受け付けても良い。録画するモードの選択については、図５の説明を準用する。
【００７８】
図８は、この実施形態の応用にかかる録画装置の録画処理のフローを表わしている。この例では、アクティブなモードで録画されていないことを前提としている。なお、アクティブなモードで録画がされている場合に録画の指示がされると、録画を受け付けない。
【００７９】
ＳＴ１１：録画の指示があったかどうか判断し、この指示があるまで、このフローは待機する。具体的には、録画キー８１が押されたかどうか判断する。
ＳＴ１２：表録画の設定を調査し、調査した録画フォーマットがエンコーダを必要とするか判断する。当該判断が肯定の場合には、ＳＴ１３に移動する。当該判断が否定の場合（ＳＴ１２のＮＯ）、例えば、ＴＳをそのまま記録するＭＰＥＧ２−ＴＳ形式で録画する場合には、現在の設定で録画を開始する（ＳＴ３０）。
【００８０】
ＳＴ１３：裏録画がデコーダを使用中であるか否か判断する。この判断が肯定であれば（ＳＴ１３のＹＥＳ）、ＳＴ２０に移動する。この判断が否定であれば（ＳＴ１３のＮＯ）、現在の設定で録画を開始する（ＳＴ３０）。
【００８１】
ＳＴ２０：ここでは、ＳＴ２１〜ＳＴ２７を実行する。図６で示した録画管理処理と同様である。ただし、ＳＴ２２、ＳＴ２６については、本実施形態に特有の処理を行う。また、図８では、図示の簡略化のため、ＳＴ２３、ＳＴ２４、ＳＴ２７では、録画に関する処理に限定して記載しているが、図６に記載のＳＴ４、ＳＴ６、ＳＴ８の処理を受け付けても良い。
【００８２】
ＳＴ２１：ＯＳＤ合成部５１は、録画管理画面６１を出力する。
ＳＴ２２：ＯＳＤ合成部５１は、ハイライト６４を裏録画に合わせた状態にする。ＳＴ２１と同時に処理しても良い。
ＳＴ２３、ＳＴ２４：キー操作を受けつける。キー操作がない限り、このステップを繰り返して、待機する。このとき、前述したように、図６で示したキー操作を受け付けても良い。
ＳＴ２３：録画停止キー８６により、裏録画の停止を受け付け、この指示があるかどうか判断する。この判断が肯定なら（ＳＴ２３のＹＥＳ）、ＳＴ２６に移動する。
ＳＴ２４：解除キー８７が押されたかどうか判断する。この判断が肯定なら（ＳＴ２４のＹＥＳ）、ＳＴ２６に移動する。
ＳＴ２５：ＯＳＤ合成部５１は、録画管理画面６１を消去する。
ＳＴ２６：記録／読取部４は、裏録画を停止する。
ＳＴ２７：ハイライト６４を表録画に自動的に合わせる。これにより、操作部８は、直ちに表録画の指示を受け付ける。
ＳＴ２８：録画キー８１が押されたかどうか判断する。録画キー８１が押されない場合には（ＳＴ２８のＮＯ）、待機する。録画キー８１が押された場合には（ＳＴ２８のＹＥＳ）、録画管理画面６１を消去する（ＳＴ２５）。
【００８３】
ＳＴ３０：記録／読取部４は、現在アクティブなモードを変えることなく、現在表示器１０１に映し出されている放送（アクティブな状態の放送）について、録画を開始する。
【００８４】
このようにＳＴ２１〜ＳＴ２８の処理を行うので、ユーザは、表録画が出来ない原因である裏録画を迅速に停止させることができ、現在のモードのままで、直ちに録画開始の指示ができる。したがって、現在表示器１０１に映っている放送を逃さず録画できる可能性が高まる。
【００８５】
なお、以上の図１の説明では、機能ごとに分離したブロックで説明したが、実装上は、これらの機能のうちいずれかの複数の機能が一体となったシステムＩＣで構成してもよいし、一つのブロックを複数に分離して構成してもよい。例えば、フラッシュメモリ９９は、制御部９に内蔵していても良い。
【００８６】
本実施形態に用いる記録媒体は、映像信号、音声信号を記録できればよく、光ディスクのほかフラッシュメモリ等の持ち運びできるもののみならず、据付で使用するものでもよい。また、１種類以上の記録媒体を記録・読み出しできればよい。
【００８７】
操作部８、制御部９、および、出力部６のＯＳＤ合成部５１は、全体としてユーザインターフェースを構成し、これは、本発明の「操作手段」に相当する。ただし、必ずしも、ＯＳＤ合成部５１によるＯＳＤのガイドが必要というものではなく、操作を制御部９に指示できれば、本発明の操作手段として成立する。
【００８８】
操作部８について説明したキーの例や操作方法は一例である。キーの名称は、以上で説明したものでなくてもよい。操作部８の役割としては、制御部９に対して、各種の設定をするための操作の指示をすることができればよい。また、操作部８では、種々のキーを設けていると説明したが、画面上にガイドを設けてキー操作を受け付けても良い。この場合、例えば、ユーザは、カーソルキーでハイライトをガイドに移動させ、そのガイドにハイライトが来た場合に決定キー８５を押すと、制御部９は、そのガイドの内容に対応する処理を実行する。
【００８９】
図２〜図５で示した録画管理画面６１は、例示であり、各録画タスクの一覧を表示し、各タスクについて、録画に必要な項目を並べることができれば、本発明の実施形態として成立する。各録画タスクについては、少なくとも、録画の停止を受け付けるようにする。また、それ以外の設定や操作を受け付けても良い（図３以下参照。）。また、録画処理の詳細を表示することは必ずしも必要ない。図２、図３の例のように、すでに録画を開始しているタスクの中止については、すでに録画設定がなされているから、どれを停止させるかを示せば十分であり、詳細を示す必要はない。
【００９０】
記録／読取部４は、ランダムアクセスできる記録媒体に記録することを要せず、ビデオテープへの記録する構成を備えてもよい。この構成では、ビデオテープへ録画している間は、ＤＶＤレコーダ１は、図２の「録画先」として「ビデオテープ」を表示させる。
【００９１】
以上の説明では、受信部２は、アナログ形式、デジタル形式の両方を受信するとした。しかし、２つ以上の放送を同時に受信できれば、アナログ形式、デジタル形式の２種類以上を受信する構成を必ずしも備えなくても、デジタル放送を複数受信する構成またはアナログ放送を複数受信する構成の実施形態へ適用できる。例えば、デジタル放送を２つ受信するのであれば、以上の説明をデジタル１、デジタル２に置き換えることができる。アナログ放送も同様である。また、ＴＳを複数のパケットに分離して記録すれば、同一放送局内の複数のサブチャンネルを同時に記録してもよい。この場合、それぞれの映像を出力する出力部が、本発明の「受信部」に相当する。
【００９２】
録画管理画面６１には、２つしか録画タスクを表示していないが、映像信号を出力する受信部の数だけ、録画タスクを表示する。録画管理画面６１に表示する録画タスクは、現在実行しているもののみを表示しても良いし、映像信号を出力する受信部それぞれについて、録画中、休止中というようにしても良い。図３~図５、図７の例も同様である。
【００９３】
以上の説明では、ＤＶＤ１０、ＨＤ４２の両方の記録媒体に記録するとした。しかし、ランダムアクセスして、２つの放送を同時に録画できる構成を備えれば、必ずしも２種類の記録媒体を備える必要はない。記録媒体は、ＤＶＤ１０、ＨＤ４３でなくても、フラッシュメモリでもこの実施形態を適用できる。ＤＶＤレコーダ１が備える記録媒体が１種類の場合には、図２〜図５の録画管理画面６１等については、記録媒体の表示を省略して適用すればよい。ただし、記録媒体が増えるほどモードの数が増え、操作が煩雑になりうることから、本実施形態の録画管理画面６１の有効性が高まる。
【００９４】
以上の録画予約の説明では、電子番組表で番組を選択するとした。しかし、本発明の実施形態としては、電子番組表は必須ではない。電子番組表の代わりにこれらをコード入力、例えばＧコード入力によって行っても良い。また、本発明の実施形態として録画予約も必須ではなく、録画を行うための１つの手段に過ぎない。
【００９５】
表示器１０１、スピーカ１０２、ＤＶＤレコーダ１は、物理的に別構成でも、合体していても良い。アンテナ１００の代わりに、有線を介して放送信号を入力しても良い。
【図面の簡単な説明】
【００９６】
【図１】本実施形態のＤＶＤレコーダの概略構成を表わしている。
【図２】本実施形態の録画管理処理のときに表示する画面の例１を示している。
【図３】本実施形態の録画管理処理のときに表示する画面を示している。
【図４】本実施形態の録画管理処理のときに表示する画面の応用例１を例示している。
【図５】本実施形態の録画管理処理のときに表示する画面の応用例２を例示している。
【図６】本実施形態の録画管理処理を表わすフロー図である。
【図７】本実施形態の応用にかかる録画装置の録画処理を表わすフロー図である。
【図８】本実施形態の応用にかかる録画装置の録画処理を表わすフロー図である。
【符号の説明】
【００９７】
１−ＤＶＤレコーダ、２−受信部、  ３−符号化部、  ４−記録／読取部、
４１−光ディスクドライブ、  ４２−ハードディスク（ＨＤ）、
４３−ハードディスクドライブ（ＨＤＤ）、
５−信号処理部、  ５１−ＯＳＤ合成部、  ６−出力部、
６０−画面、  ６１−録画管理画面、
６２−表録画の情報、  ６３−裏録画の情報、  ６４−ハイライト、
８−操作部、
８０−リモコン、  ８１−録画キー、  ８２−カーソルキー、
８３−数字キー、  ８４−録画予約キー、  ８５−決定キー、
８６−録画停止キー、  ８７−録画管理キー、  ８８−解除キー、
９−制御部、  ９１−録画予約処理、  ９２−録画処理、
９３−録画管理処理、  ９５−初期設定処理、
９９−フラッシュメモリ、  １０−ＤＶＤ、
１００−アンテナ、  １０１−表示器、  １０２−スピーカ
【図１】
2009194590.tif 000003
【図２】
2009194590.tif 000004
【図３】
2009194590.tif 000005
【図４】
2009194590.tif 000006
【図５】
2009194590.tif 000007
【図６】
2009194590.tif 000008
【図７】
2009194590.tif 000009
【図８】
2009194590.tif 000010